(57)【要約】【課題】商品収納庫内の商品を冷却、加温する冷温蔵庫に関し、商品収納庫の下の商品のみを冷却、加温することにより負荷量を低減し、消費電力量を低減する。【解決手段】商品収納庫２２の内部であって、上部に商品を保存収納する収納ゾーンと、下部に商品を収納し冷却加温する温調ゾーンを構成するコラム２１を設け、温調ゾーンのみに冷風、温風が循環するように温調ゾーンの最上段部から庫内ファン１９へのダクト２５と収納ゾーンの最下端部と温調ゾーンの最上段部との間にすき間を形成するためのすき間形成部材２６を設けたことにより庫内ファン１９の風は温調ゾーンのみを循環し、消費電力を低減できる。【選択図】  図１
2004251561.tif 000002
【特許請求の範囲】
【請求項１】
商品収納庫の内部であって、上部に商品を保存収納する収納ゾーンと、下部に商品を収納し冷却加温する温調ゾーンを構成するコラムを設け、前記商品収納庫内の下部に、前記商品収納庫内に風を循環させる庫内ファンを有し、温調ゾーンに収納された商品を冷却するための冷却器と温調ゾーンに収納された商品を加温するための加温器の少なくとも一方を設け、前記温調ゾーンのみに冷風、温風が循環するように前記温調ゾーンの最上段部から前記庫内ファンへのダクトと前記収納ゾーンの最下端部と前記温調ゾーンの最上段部との間にすき間を形成するためのすき間形成部材を設けたことを特徴とする冷温蔵庫。
【請求項２】
すき間形成部材は各々の商品間に入り込む分離部材を有することを特徴とする請求項１に記載の冷温蔵庫。
【請求項３】
収納ゾーンに商品が収納されているかどうかを検出する商品検出手段と、前記収納ゾーンの最下端部に設け、収納ゾーンの上方向への風の流れを遮るシャッターと、前記商品検出手段が売り切れを検出した前記コラムの前記シャッターを閉じる制御手段とを備えた請求項１または２に記載の冷温蔵庫。
【請求項４】
商品収納庫の内部であって、上部に商品を保存収納する収納ゾーンと、下部に商品を収納し冷却加温する温調ゾーンを構成するコラムを設け、前記商品収納庫内の下部に、前記商品収納庫内に風を循環させる庫内ファンを有し、温調ゾーンに収納された商品を冷却するための冷却器と温調ゾーンに収納された商品を加温するための加温器の少なくとも一方を設け、前記コラムの最下端部に設け、前記温調ゾーンから前記収納庫外に商品を搬出する第１の搬出機構と、前記温調ゾーンの上下に隣接する商品と商品の間に設け、最下段の商品の搬出により商品が通過することにより動作するスイッチと、前記収納ゾーンの最下端部の商品の下に設け、通常は前記温調ゾーンの最上段の商品と前記収納ゾーンの最下端部の商品との間にある一定のすき間ができるように前記収納ゾーンの最下端部の商品を保持し、前記スイッチの動作に連動して保持状態を解除する第１のストッパーと、前記収納ゾーンの最下端部の商品と下から２番目の商品の間に設け、通常は解除状態にあり、前記スイッチの動作に連動して前記収納ゾーンの下から２番目の商品を前記スイッチが動作する以前の位置に保持する第２のストッパーとを設けた冷温蔵庫。
【請求項５】
第１のストッパーにより収納ゾーンに風が流れない構成とした請求項４に記載の冷温蔵庫
【請求項６】
第１のストッパー及び第２のストッパーを常に引き込んだ状態とし、上下の商品の間にすき間を作らない状態にすることが可能な請求項４または５に記載の冷温蔵庫。
【請求項７】
庫内ファンの吸込空気温度を検出する庫内温度検出手段と、前記庫内温度検出手段の検出した温度により前記庫内ファンと冷却器と加温器の少なくとも一方を制御し、商品温度をある一定の温度差内に保つ温度制御手段とを備えた請求項１から６のいずれか一項に記載の冷温蔵庫。
【請求項８】
収納ゾーンのコラムと商品収納庫が密着することを特徴とする請求項１から７のいずれか一項に記載の冷温蔵庫。
【請求項９】
収納する商品の長さに応じてコラムの幅を変更するコラム幅変更板と、前記コラム幅変更板を移動させるためのリンク部材とを備え、前記リンク部材は商品を収納する通路の他方の通路の風の流れを塞ぐことを特徴とした請求項１から８のいずれか一項に記載の冷温蔵庫。
【請求項１０】
コラムの収納ゾーンと温調ゾーンを前記コラムの部材よりも熱伝導率の低い材料で連結する構成とした請求項１から９のいずれか一項に記載の冷温蔵庫。
【発明の詳細な説明】
【０００１】
【発明の属する技術分野】
本発明は、商品を収納、搬出する冷温蔵庫に関し、特に省エネに関わる庫内の局所温調に関するものである。
【０００２】
【従来の技術】
近年、冷凍業界では環境への配慮から、機器の消費電力低減が進んでいるが、省エネ法の改正により、家庭用冷蔵庫では２００４年、自動販売機においては２００５年に省エネトップランナー制度が適用され、さらなる機器の小電力化が必要となってくる。
【０００３】
従来の冷温蔵庫としては、コラムの中間部に中間循環路を形成した自動販売機（特許文献１）がある。
【０００４】
以下、図面を参照しながら上記従来の冷温蔵庫を説明する。
【０００５】
図１０は従来の冷温蔵庫の縦断面図である。図１０に示すように、従来の冷温蔵庫は、断熱材により形成した商品収納庫１が備えられ、商品収納庫１には外部と連通する商品取り出し口２及び商品取り出し口２を販売時以外に塞ぐ商品取り出し扉３を備えている。
【０００６】
商品収納庫１内部には、前面上部に複数のコラム４，５を設けており、上部の収納ゾーン４ａ，５ａと下部の温調ゾーン４ｂ，５ｂに分かれている。また、背面には上下方向に延び、上端開口部６及び下端開口部７を有するダクト８を設けている。このコラム４，５には第１のベンドメカ９，１０，１１が備えられ、商品を販売する時に動作し、この時商品は、自重により商品取り出し口２へと搬出される。
【０００７】
また、コラム４，５の収納ゾーン４ａ，５ａと温調ゾーン４ｂ，５ｂの間には、第２のベンドメカ１２，１３，１４が備えられ、収納ゾーン４ａ，５ａの商品を保持し、収納ゾーン４ａ，５ａの最下段の商品と温調ゾーン４ｂ，５ｂの最上段の商品の間に商品の１個または１個半分のすき間を開けた低抵抗の中間循環路を形成するようになっている。
【０００８】
ダクト８の中間部には中間開口部１５が開けられ、これにシャッター１６が備えられており、通常は図示するように開状態となっている。
【０００９】
さらに商品収納庫１内下部には商品を冷却するための冷凍サイクル（図示せず）の一部である冷却器１７、商品を加温するためのヒーター１８、庫内に風を循環させる庫内ファン１９及び庫内温度を検出するセンサ２０を備えており、庫内温度を加温時には約５５℃、冷却時には約５℃に維持するようになっている。
【００１０】
これにより、自動販売機運転中、庫内ファン１９による風は中間循環路を流れ中間開口部１５からダクト８に吸い込まれ、下端開口部７から再び庫内ファン１９により庫内へ吹き出されるため、庫内を流れる風は中間循環路より下となり、冷却、加温される商品は温調ゾーン４ｂ，５ｂの商品のみとなり、負荷量が低減することによりヒーター１８、冷凍サイクルの運転率が下がり、消費電力量の低い自動販売機とすることができる。
【００１１】
【特許文献１】
特開２００１−１７５９４３号公報
【００１２】
【発明が解決しようとする課題】
しかしながら、上記従来の構成の自動販売機では、中間循環路の上に第２のベンドメカ１２，１３，１４を備える構成となっており、中間循環路を備えない自動販売機に比べ、第２のベンドメカ１２，１３，１４を動作させるための電力が必要であると同時に大きなコストアップとなった。
【００１３】
本発明は上記従来の課題を解決するものであり、電力を使わず、少ないコストアップで中間循環路であるすき間を形成することを目的とする。
【００１４】
また、上記従来の構成は、収納ゾーン４ａ，５ａの商品が全て販売された時にはそこから上方向に風路ができ、加温時には自然対流により収納ゾーン４ａ，５ａに風が流れる可能性があった。
【００１５】
本発明の他の目的は、収納ゾーン４ａ，５ａの商品が全て販売されてもそこを塞ぐことにより収納ゾーン４ａ，５ａに風を流さないことである。
【００１６】
また、上記従来の構成は、商品の売れ行きが良く、連続で多くの商品が販売される場所においては収納ゾーン４ａ，５ａの商品は冷却、加温されておらず、収納ゾーン４ａ，５ａの商品が販売される時には目標の温度に達しない恐れがあった。
【００１７】
本発明の他の目的は、商品の搬出が頻繁な場所においてはすき間を形成せず庫内の全ての商品を冷却、加温することである。
【００１８】
また、上記従来の構成は、庫内の温度を制御するためのセンサ２０が庫内ファン１９の吐出側である温調ゾーン４ａ，５ａの最下段の商品近傍にあり、その温度は商品を通過し冷却器１７またはヒーター１８を通った温度であり、実際の庫内温度とはなっておらず、正確な温度制御ができないという課題があった。
【００１９】
本発明の他の目的は、庫内温度制御をより正確に行うことである。
【００２０】
また、上記従来の構成は、コラム４，５と商品収納庫１の間にすき間があると、風がすき間を流れ、収納ゾーン４ａ，５ａの商品まで冷却、加温してしまい、無駄な冷却、加温をする恐れがあった。
【００２１】
本発明の他の目的は、コラム４，５と商品収納庫１の間に風を流さないことである。
【００２２】
また、上記従来の構成は、収納する商品の長さに応じてコラム４，５の幅を変更するコラム幅変更板がある場合、コラム幅変更板の商品がない方のすき間に風が流れ、無駄な冷却、加温をする恐れがあった。
【００２３】
本発明の他の目的は、コラム幅変更板の商品がない方のすき間に風を流さないことである。
【００２４】
【課題を解決するための手段】
本発明の請求項１に記載の冷温蔵庫の発明は、商品収納庫の内部であって、上部に商品を保存収納する収納ゾーンと、下部に商品を収納し冷却加温する温調ゾーンを構成するコラムを設け、商品収納庫内の下部に、商品収納庫内に風を循環させる庫内ファンと、温調ゾーンに収納された商品を冷却するための冷却器と、温調ゾーンに収納された商品を加温するための加温器とを設け、温調ゾーンのみに冷風、温風が循環するように温調ゾーンの最上段部から庫内ファンへのダクトと収納ゾーンの最下端部と温調ゾーンの最上段部との間にすき間を形成するためのすき間形成部材を設けた構成としたものであり、ベンドメカを使わないため電力を使用することなくコラムの中間にすき間を形成することができ、効率の高い冷温蔵庫とすることができるという作用を有する。
【００２５】
本発明の請求項２に記載の冷温蔵庫の発明は、すき間形成部材は各々の商品間に入り込む分離部材を有する構成としているので、簡単な構成ですき間を形成することができ、低コストの冷温蔵庫とすることができるという作用を有する。
【００２６】
本発明の請求項３に記載の冷温蔵庫の発明は、収納ゾーンに商品が収納されているかどうかを検出する商品検出手段と、収納ゾーンの最下端部に設け、収納ゾーンの上方向への風の流れを遮るシャッターと、商品検出手段が売り切れを検出したコラムのシャッターを閉じる制御手段とを備えた構成としたものであり、収納ゾーンの商品が無くなったときでも、上方向へのすき間をシャッターで閉じることができ、無駄な冷却、加温をすることがなく、より効率の高い冷温蔵庫とすることができるという作用を有する
本発明の請求項４に記載の冷温蔵庫の発明は、商品収納庫の内部であって、上部に商品を保存収納する収納ゾーンと、下部に商品を収納し冷却加温する温調ゾーンを構成するコラムを設け、商品収納庫内の下部に、商品収納庫内に風を循環させる庫内ファンと、温調ゾーンに収納された商品を冷却するための冷却器と、温調ゾーンに収納された商品を加温するための加温器とを設け、コラムの最下端部に設け、温調ゾーンから収納庫外に商品を搬出する第１の搬出機構と、温調ゾーンの上下に隣接する商品と商品の間に設け、最下段の商品の搬出により商品が通過することにより動作するスイッチと、収納ゾーンの最下端部の商品の下に設け、通常は温調ゾーンの最上段の商品と収納ゾーンの最下端部の商品との間にある一定のすき間ができるように収納ゾーンの最下端部の商品を保持し、スイッチの動作に連動して保持状態を解除する第１のストッパーと、収納ゾーンの最下端部の商品と下から２番目の商品の間に設け、通常は解除状態にあり、スイッチの動作に連動して収納ゾーンの下から２番目の商品をスイッチが動作する以前の位置に保持する第２のストッパーとを設けた構成としたものであり、第１のストッパー及び第２のストッパーの位置を変えることによりすき間の広さを任意に決めることができ、商品の搬出が頻繁でない場所ですき間を広くしたい時は簡単に広くでき、より幅広いロケーションに対応した冷温蔵庫とすることができるという作用を有する。
【００２７】
本発明の請求項５に記載の冷温蔵庫の発明は、第１のストッパーにより収納ゾーンに風が流れない構成としたものであり、収納ゾーンと温調ゾーンを完全に仕切ることができ、中間循環路より上には風が流れることはなく、より効率の高い冷温蔵庫とすることができるという作用を有する。
【００２８】
本発明の請求項６に記載の冷温蔵庫の発明は、第１のストッパー及び第２のストッパーを常に倒した状態とし、すき間を作らない状態にすることが可能な構成としたものであり、商品の搬出が頻繁な場所では庫内の全ての商品を冷却、加温することができ、より幅広いロケーションに対応した冷温蔵庫とすることができるという作用を有する。
【００２９】
本発明の請求項７に記載の冷温蔵庫の発明は、庫内ファンの吸込空気温度を検出する庫内温度検出手段と、庫内温度検出手段の検出した温度により庫内ファンと冷却器と加温器を制御し、商品温度をある一定の温度差内に保つ温度制御手段とを備えたものであり、温度検出手段により、商品を流れた後の風の温度を検出でき、商品の温度を直接検出することができ、正確な温度制御ができる冷温蔵庫とすることができるという作用を有する。
【００３０】
本発明の請求項８に記載の冷温蔵庫の発明は、収納ゾーンのコラムと商品収納庫が密着するものであり、商品収納庫とコラムの間にはすき間がなく、風が流れることはないので、より効率の高い冷温蔵庫とすることができるという作用を有する。
【００３１】
本発明の請求項９に記載の冷温蔵庫の発明は、収納する商品の長さに応じてコラムの幅を変更するコラム幅変更板と、前記コラム幅変更板を移動させるためのリンク部材とを備え、前記リンク部材は商品を収納する通路の他方の通路の風の流れを塞ぐものであり、コラムの収納ゾーンのコラム幅変更板の商品がない方から上方向に風が流れることはなく、より効率の高い冷温蔵庫とすることができるという作用を有する。
【００３２】
本発明の請求項１０に記載の冷温蔵庫の発明は、コラムの収納ゾーンと温調ゾーンをコラムの部材よりも熱伝導率の低い材料で連結する構成としたものであり、コラム部材の熱伝導により、収納ゾーンの商品が冷却、加温されることはなく、より効率の高い冷温蔵庫とすることができるという作用を有する。
【００３３】
【発明の実施の形態】
以下、本発明による冷温蔵庫の実施の形態について、図面を参照しながら説明する。なお、従来と同一構成については、同一符号を付して詳細な説明を省略する。
【００３４】
（実施の形態１）
図１は、本発明の実施の形態１による冷温蔵庫の縦断面図である。図２及び図３は同実施の形態のコラムの詳細図である。
【００３５】
図１に示すように、上部の収納ゾーン２１ａと下部の温調ゾーン２１ｂから構成されたコラム２１は商品収納庫２２内に収納されており、内部に商品を収納している。商品収納庫２２背面には中間開口部２３及び下端開口２４を有するダクト２５を設けている。
【００３６】
コラム２１の収納ゾーン２１ａと温調ゾーン２１ｂの間には十時型の分離部材２６ａ，２６ｂ，２６ｃ，２６ｄ，２６ｅが回転自在に備えられており、上下の商品の間にすき間を形成する。
【００３７】
分離部材２６ａ，２６ｂ，２６ｃ，２６ｄ，２６ｅの形状はここでは十字形状としているが、回転に応じて上下の商品を支えることによりすき間を形成する形状であればよい。さらに断面がすべて同じ十字形状とするよりは、一定間隔で切欠き形状とし、その切欠きのすき間を風が通過できる形状とすればさらに効果が得られる。
【００３８】
またコラム２１には分離部材２６ａ，２６ｂ，２６ｃ，２６ｄ，２６ｅより上に商品検出手段２７ａ，２７ｂ，２７ｃ，２７ｄ，２７ｅ及びシャッター２８ａ，２８ｂ，２８ｃ，２８ｄ，２８ｅを設けており、収納ゾーン２１ａに商品が無いときシャッター２８ａ，２８ｂ，２８ｃ，２８ｄ，２８ｅを倒すように制御手段２９が制御する。
【００３９】
以上のように構成された冷温蔵庫について、以下その動作を説明する。
【００４０】
まず収納ゾーン２１ａに商品がある場合を図２を参照して説明する。
【００４１】
この時、商品検出手段２７ａによりシャッター２８ａは開いた状態であり、収納ゾーン２１ａの商品は下方向に自由に移動できる。また、分離部材２６ａが上下の商品の間に入り込むことによりすき間ができる。
【００４２】
また、商品が搬出された場合、商品の搬出とともに分離部材２６ａの下の商品が下方向に移動するとともに分離部材２６ａが回転し、収納ゾーン２１ａの最下段の商品が温調ゾーン２１ｂの最上段へと移動する。その後、移動した商品が分離部材２６ａの直ぐ下に位置することから、分離部材２６ａの回転は温調ゾーン２１ｂの最上段に移動した商品によって止められ、その結果、そのさらに上の商品は分離部材２６ａにより収納ゾーン２１ａにとどまり、温調ゾーン２１ｂの最上段とのすき間が保持される。
【００４３】
この動作は商品の収納する各列の商品検出手段２７ｂ，２７ｃ，２７ｄ，２７ｅとシャッター２８ｂ，２８ｃ，２８ｄ，２８ｅおよび、分離部材２６ｂ，２６ｃ，２６ｄ，２６ｅにおいても同じ動作を行う。
【００４４】
これにより、庫内ファン１９により吹き出された風は、このすき間を通り、中間開口部２３からダクト２５内を流れ、下端開口部２４から再び庫内ファン１９より庫内へ吹き出される。
【００４５】
したがって、従来のようにベンドメカを収納ゾーンに新たに設けることなく、簡単な構成で、収納ゾーンと温調ゾーンの間にすき間を形成し、温調ゾーン２１ｂの商品のみを冷却、加温することができる。
【００４６】
次に収納ゾーン２１ａに商品が無い場合を図３を参照して説明する。
【００４７】
分離部材２６ａより上に商品が無い場合、制御手段２９は商品検知を行い、商品が無い場合はシャッター２８ａを閉じる。
【００４８】
この動作は商品の収納する各列の商品検出手段２７ｂ，２７ｃ，２７ｄ，２７ｅとシャッター２８ｂ，２８ｃ，２８ｄ，２８ｅにおいても同じ動作を行う。
【００４９】
したがって、収納ゾーン２１ａに商品が無くてもシャッター２８ａ，２８ｂ，２８ｃ，２８ｄ，２８ｅにより加温時に風は上方向に流れることはなく、温調ゾーン２１ｂの商品のみを冷却、加温することができる。
【００５０】
以上のように本実施の形態の冷温蔵庫は、分離部材２６ａ，２６ｂ，２６ｃ，２６ｄ，２６ｅにより収納ゾーン２１ａの最下段の商品と温調ゾーン２１ｂの最上段の商品の間にすき間を形成することにより、温調ゾーン２１ｂの商品のみを冷却、加温することができ、実際の負荷量が減るため、消費電力量を低減できるとともに、加温による商品廃棄も少なくなり、効率の高い冷温蔵庫とすることができる。
【００５１】
また、収納ゾーン２１ａに商品が無い時も、シャッター２８ａ，２８ｂ，２８ｃ，２８ｄ，２８ｅにより上方向に流れようとする風を遮ることができるため、温調ゾーン２１ｂの商品のみを冷却、加温することができ、実際の負荷量が減るため、消費電力量を低減できるとともに、加温による商品廃棄も少なくなり、効率の高い冷温蔵庫とすることができる。
【００５２】
（実施の形態２）
図４及び図５は本発明の実施の形態２による冷温蔵庫の縦断面図である。
【００５３】
図４及び図５に示すように、上部の収納ゾーン３０ａと下部の温調ゾーン３０ｂから構成されたコラム３０には下からスイッチ３１ａ，３１ｂ，３１ｃ，３１ｄ，３１ｅ、第１のストッパー３２ａ，３２ｂ，３２ｃ，３２ｄ，３２ｅ及び第２のストッパー３３ａ，３３ｂ，３３ｃ，３３ｄ，３３ｅを設けてあり、全て形状は板状で上端を支点として回動可能であり、第１のストッパー３２ａ，３２ｂ，３２ｃ，３２ｄ，３２ｅ及び第２のストッパー３３ａ，３３ｂ，３３ｃ，３３ｄ，３３ｅはスイッチの動きと連動して商品収納通路に突出または引き込み動作を行う。
【００５４】
なお、スイッチ３１ａ，３１ｂ，３１ｃ，３１ｄ，３１ｅは、商品が最大限収納された状態において商品と商品の間に位置し、突出するような位置に設けてある。
【００５５】
また、第１のストッパー３２ａ，３２ｂ，３２ｃ，３２ｄ，３２ｅは、突出することにより商品が移動する通路を塞ぐ幅、長さとなっており、その支点はスイッチ３１ａ，３１ｂ，３１ｃ，３１ｄ，３１ｅの支点より、少なくとも商品１本分以上高い位置に設けてある。
【００５６】
さらに、第１のストッパー３２ａ，３２ｂ，３２ｃ，３２ｄ，３２ｅ及び第２のストッパー３３ａ，３３ｂ，３３ｃ，３３ｄ，３３ｅはスイッチ３１ａ，３１ｂ，３１ｃ，３１ｄ，３１ｅの動きと関係なく強制的に引き込んだ状態にすることも可能である。
【００５７】
以上のように構成された冷温蔵庫について、以下その動作を説明する。
【００５８】
まず商品の搬出がそれほど頻繁ではない場所に設置された場合を図４を参照して説明する。
【００５９】
この場合、スイッチ３１ａ，３１ｂ，３１ｃ，３１ｄ，３１ｅが突出した状態の時、第１のストッパー３２ａ，３２ｂ，３２ｃ，３２ｄ，３２ｅは突出した状態であり、第２のストッパー３３ａ，３３ｂ，３３ｃ，３３ｄ，３３ｅは引き込んだ状態である。
【００６０】
ここで、第１のストッパー３２ａ，３２ｂ，３２ｃ，３２ｄ，３２ｅはあらかじめ収納ゾーン３０ａの最下段の商品と温調ゾーン３０ｂの最上段の商品の間にすき間が形成される高さに設けてあるため、庫内ファン１９により吹き出された風は、このすき間を通り、中間開口部２３からダクト２５内を流れ、下端開口部２４から再び庫内ファン１９より庫内へ吹き出される。
【００６１】
また、商品が搬出される時は、スイッチ３１ａ，３１ｂ，３１ｃ，３１ｄ，３１ｅを商品が通過することによりスイッチ３１ａ，３１ｂ，３１ｃ，３１ｄ，３１ｅが押し込まれ、それに連動して第１のストッパー３２ａ，３２ｂ，３２ｃ，３２ｄ，３２ｅが引き込まれるとともに第２のストッパー３３ａ，３３ｂ，３３ｃ，３３ｄ，３３ｅが突出する。この動作により、収納ゾーン３０ａの最下段の商品は温調ゾーン３０ｂの最上段に移動し、第２のストッパー３３ａ，３３ｂ，３３ｃ，３３ｄ，３３ｅの上にあった商品はその位置で保持される。
【００６２】
その後スイッチ３１ａ，３１ｂ，３１ｃ，３１ｄ，３１ｅを商品が通り過ぎることによりスイッチ３１ａ，３１ｂ，３１ｃ，３１ｄ，３１ｅが突出し、それに連動して第１のストッパー３２ａ，３２ｂ，３２ｃ，３２ｄ，３２ｅが突出するとともに第２のストッパー３３ａ，３３ｂ，３３ｃ，３３ｄ，３３ｅが引き込まれる。そしてこの動作により、第２のストッパー３３ａ，３３ｂ，３３ｃ，３３ｄ，３３ｅの上に保持されていた商品が下に移動し、第１のストッパー３２ａ，３２ｂ，３２ｃ，３２ｄ，３２ｅの上で止まり保持される。
【００６３】
これにより、第１のストッパー３２ａ，３２ｂ，３２ｃ，３２ｄ，３２ｅの下には常にすき間が形成され、庫内ファン１９により吹き出された風は、このすき間を通り、中間開口部２３からダクト２５内を流れ、下端開口部２４から再び庫内ファン１９より庫内へ吹き出される。
【００６４】
また、スイッチ３１ａ，３１ｂ，３１ｃ，３１ｄ，３１ｅ、第１のストッパー３２ａ，３２ｂ，３２ｃ，３２ｄ，３２ｅ及び第２のストッパー３３ａ，３３ｂ，３３ｃ，３３ｄ，３３ｅの高さを自由に変更できるようにすることにより、すき間の幅を自由に変更できるようになる。
【００６５】
これにより、商品の搬出が頻繁でない場所ではスイッチ３１ａ，３１ｂ，３１ｃ，３１ｄ，３１ｅの高さを低くし、第１のストッパー３２ａ，３２ｂ，３２ｃ，３２ｄ，３２ｅ及び第２のストッパー３３ａ，３３ｂ，３３ｃ，３３ｄ，３３ｅの位置を高くし、すき間を大きくすることにより、より少ない負荷での運転もできる。
【００６６】
次に、商品の搬出が頻繁に行われる場所に設置された場合を図５を参照して説明する。
【００６７】
この場合、第１のストッパー３２ａ，３２ｂ，３２ｃ，３２ｄ，３２ｅ及び第２のストッパー３３ａ，３３ｂ，３３ｃ，３３ｄ，３３ｅを常に引き込んだ状態とすることにより、商品と商品の間にすき間ができることはない。
【００６８】
これにより、庫内ファン１９により吹き出された風は、コラム３０の上まで流れ、中間開口部２３からダクト２５内を流れ、下端開口部２４から再び庫内ファン１９より庫内へ吹き出され、上の商品まで冷却、加温され、連続販売にも対応可能となる。
【００６９】
以上のように本実施の形態の冷温蔵庫は、商品の搬出が頻繁でない場所では第１のストッパー３２ａ，３２ｂ，３２ｃ，３２ｄ，３２ｅにより収納ゾーン３０ａと温調ゾーン３０ｂの間にすき間を作ることにより、温調ゾーン３０ｂの商品のみを冷却、加温することができ、実際の負荷量が減るため、消費電力量を低減できるとともに、加温による商品廃棄も少なくなり、効率の高い冷温蔵庫とすることができる。
【００７０】
また、商品の搬出が頻繁でない場所では、スイッチ３１ａ，３１ｂ，３１ｃ，３１ｄ，３１ｅの高さを低くし、第１のストッパー３２ａ，３２ｂ，３２ｃ，３２ｄ，３２ｅ及び第２のストッパー３３ａ，３３ｂ，３３ｃ，３３ｄ，３３ｅの位置を高くすることにより、すき間が大きくなり、より少ない負荷で運転できることにより消費電力が低減でき、より幅広いロケーションに対応した冷温蔵庫とすることができる。
【００７１】
また、商品の搬出が頻繁な場所では第１のストッパー３２ａ，３２ｂ，３２ｃ，３２ｄ，３２ｅ及び第２のストッパー３３ａ，３３ｂ，３３ｃ，３３ｄ，３３ｅを常に倒すことにより、すき間を無くし、上の商品まで冷却、加温することができ連続販売に対応した、より幅広いロケーションに対応した冷温蔵庫とすることができる。
【００７２】
（実施の形態３）
図６は本発明の実施の形態３による冷温蔵庫の縦断面図である。
【００７３】
図６に示すように、センサ３４（庫内温度検出手段）はダクト２５の中間開口部２３と下端開口部２４の間に設けてあり、ダクト２５を流れる風の温度を検出して、商品温度を冷却時は約５℃、加温時は約５５℃に保つように冷却器１７、ヒーター１８及び庫内ファン１９を制御する。
【００７４】
以上のように構成された冷温蔵庫について、以下その動作を説明する。
【００７５】
もし、センサ３４が従来通り庫内ファン１９の吹き出し側にあったとすると、センサ３４が検出する温度は冷却器１７またはヒーター１８を通過した風であり、商品温度が多少変化したとしてもその温度は大きく変化せず、実際の商品温度を代表していないため、きめ細かな制御ができなかった。
【００７６】
またこのセンサ３４の位置は、商品収納庫２２の縦方向に温度分布があり、下の商品の温度のみが目標温度となっており上の方の商品の温度が目標温度とかけ離れている場合には有効であるが、温調ゾーン３０ｂの商品のみを冷却、加温し、縦方向の温度分布が少なくなる本発明の仕様においては実際の商品温度を検出するのが難しかった。
【００７７】
しかしながら、本実施の形態によれば、センサ３４が検出する温度は商品を通過した後の風の温度であり、実際の商品温度を代表しており、きめ細かな制御ができる。
【００７８】
以上のように、本実施の形態の冷温蔵庫は、センサ３４をダクト２５の中間開口部２３と下端開口部２４の間に設けたので、きめ細かな制御ができ、温度品質の高い冷温蔵庫とすることができる。
【００７９】
（実施の形態４）
図７は本発明の実施の形態４による冷温蔵庫の縦断面図であり、図８はコラムのすき間部を正面から見た詳細図である。
【００８０】
図７に示すように、シール部材３５は商品収納庫２２の背面に設けており、コラム３０の収納ゾーン３０ａと商品収納庫２２のすき間を埋めている。
【００８１】
また、図８に示すように、コラム３６には商品の高さに応じてコラム３６の幅を調整するコラム幅調整部材３７が第１のストッパー３２ａ，３２ｂ，３２ｃ，３２ｄ，３２ｅよりも下でリンク３８を介してコラム３６に内接している。また、リンク３８の幅（図８中奥行き方向の長さ）はコラム３６の幅に等しく、上方向へ風が流れない構成となっている。
【００８２】
以上のように構成された冷温蔵庫について、以下その動作を説明する。
【００８３】
もしシール部材３５及びリンク３８が無いとすると、庫内ファン１９から吹き出された風の多くは第１のストッパー３２ａ，３２ｂ，３２ｃ，３２ｄ，３２ｅにより形成されたすき間を通り、中間開口部２３からダクト２５内を流れ、下端開口部２４から再び庫内ファン１９より庫内へ吹き出されるが、特に加温時には自然対流によりコラム３６と商品収納庫２２のすき間やコラム幅調整部材３７の商品がない方のすき間を通り、風が上方向に流れ、中間開口部２３からダクト２５内を流れ、下端開口部２４から再び庫内ファン１９より庫内へ吹き出される。
【００８４】
したがって、収納ゾーン３０ａの商品まで加温され、特に加温時には消費電力低減効果が少なくなる。
【００８５】
これに対して本実施の形態によれば、コラム３６と商品収納庫２２のすき間やコラム幅調整部材３７の商品がない方のすき間が無いため、自然対流により上方向に風が流れることはない。
【００８６】
これにより、加温時には特に消費電力量を低減できる。
【００８７】
以上のように、本実施の形態の冷温蔵庫は、コラム３６と商品収納庫２２のすき間をシール部材３５で塞いでいるとともに、コラム３６のコラム幅調整部材３７の商品が無い方のすき間もリンク３８により塞いでいることから、温調ゾーン３０ｂの商品のみを冷却、加温することができ、実際の負荷量が減るため、消費電力量を低減できるとともに、加温による商品廃棄も少なくなり、効率の高い冷温蔵庫とすることができる。
【００８８】
（実施の形態５）
図９は本発明の実施の形態５による冷温蔵庫のコラムのすき間部を正面から見た詳細図である。
【００８９】
図９に示すように、上部の収納ゾーン３９ａと下部の温調ゾーン３９ｂから構成されたコラム３９は収納ゾーン３９ａと温調ゾーン３９ｂの間で分割されており、コラム３９の材料よりも熱伝導率の低い材料（好ましくは熱伝導率の低い樹脂などの材料）で作られた連結部材４０により連結されている。
【００９０】
以上のように構成された冷温蔵庫について、以下その操作を説明する。
【００９１】
商品収納庫２２内を冷却または加温しているとき、温調ゾーン３９ｂの商品は暖められるが、それと同時にコラム３９も暖められる。
【００９２】
この時、庫内ファン１９による風は温調ゾーン３９ｂのみしか流れていないが、コラム３９の材料が金属であるときなどは、熱伝導により収納ゾーン３９ａのコラム３９部材も冷却、加温され、コラム３９から商品への熱伝導により収納ゾーン３９ａの商品も冷却、加温されてしまう。
【００９３】
しかしながら本実施の形態によれば、コラム３９は収納ゾーン３９ａと温調ゾーン３９ｂの間で分割されており、コラム３９の材料よりも熱伝導率の低い材料で作られた連結部材４０によって連結されているため、温調ゾーン３９ｂの熱が連結部材４０を介して収納ゾーン３９ａへ熱伝導する熱量は小さくなる。
【００９４】
これにより、収納ゾーン３９ａの商品が熱伝導により冷却、加温されることが無く、消費電力量を低減することができる。
【００９５】
以上のように、本実施の形態の冷温蔵庫は、コラム３９を収納ゾーン３９ａと温調ゾーン３９ｂの間で分割し、コラム３９の材料よりも熱伝導率の低い材料で作った連結部材４０によって連結しているので、収納ゾーン３９ａの商品が熱伝導により冷却、加温されることはなく、温調ゾーン３９ｂの商品のみを冷却、加温することができ、実際の負荷量が減るため、消費電力量を低減できるとともに、加温による商品廃棄も少なくなり、効率の高い冷温蔵庫とすることができる。
【００９６】
なお、本実施の形態において、コラム３９は分割するとしたが、コラム３９自体を熱伝導率の低い材料で作ることにより同様の効果を得られる。
【００９７】
また、コラム３９は連結部材４０によって連結することとしたが、コラムを連結せず、分割して商品収納庫２２内に収納しても同様の効果が得られる。
【００９８】
【発明の効果】
以上説明したように請求項１に記載の冷温蔵庫の発明は、商品収納庫の内部であって、上部に商品を保存収納する収納ゾーンと、下部に商品を収納し冷却加温する温調ゾーンを構成するコラムを設け、商品収納庫内の下部に、商品収納庫内に風を循環させる庫内ファンと、温調ゾーンに収納された商品を冷却するための冷却器と、温調ゾーンに収納された商品を加温するための加温器とを設け、温調ゾーンのみに冷風、温風が循環するように温調ゾーンの最上段部から庫内ファンへのダクトと収納ゾーンの最下端部と温調ゾーンの最上段部との間にすき間を形成するためのすき間形成部材を設けた構成としたので、ベンドメカを使わないため電力を使用することなくコラムの中間にすき間を形成することができ、効率の高い冷温蔵庫とすることができる。
【００９９】
また、請求項２に記載の冷温蔵庫の発明は、すき間形成部材は各々の商品間に入り込む分離部材を有する構成としたので、簡単な構成ですき間を形成することができ、低コストの冷温蔵庫とすることができる。
【０１００】
また、請求項３に記載の冷温蔵庫の発明は、収納ゾーンに商品が収納されているかどうかを検出する商品検出手段と、収納ゾーンの最下端部に設け、収納ゾーンの上方向への風の流れを遮るシャッターと、商品検出手段が売り切れを検出したコラムのシャッターを閉じる制御手段とを備えた構成としたので、収納ゾーンの商品が無くなったときでも、上方向へのすき間をシャッターで閉じることができ、無駄な冷却、加温をすることがなく、より効率の高い冷温蔵庫とすることができる。
【０１０１】
また、請求項４に記載の冷温蔵庫の発明は、商品収納庫の内部であって、上部に商品を保存収納する収納ゾーンと、下部に商品を収納し冷却加温する温調ゾーンを構成するコラムを設け、商品収納庫内の下部に、商品収納庫内に風を循環させる庫内ファンと、温調ゾーンに収納された商品を冷却するための冷却器と、温調ゾーンに収納された商品を加温するための加温器とを設け、コラムの最下端部に設け、温調ゾーンから収納庫外に商品を搬出する第１の搬出機構と、温調ゾーンの上下に隣接する商品と商品の間に設け、最下段の商品の搬出により商品が通過することにより動作するスイッチと、収納ゾーンの最下端部の商品の下に設け、通常は温調ゾーンの最上段の商品と収納ゾーンの最下端部の商品との間にある一定のすき間ができるように収納ゾーンの最下端部の商品を保持し、スイッチの動作に連動して保持状態を解除する第１のストッパーと、収納ゾーンの最下端部の商品と下から２番目の商品の間に設け、通常は解除状態にあり、スイッチの動作に連動して収納ゾーンの下から２番目の商品をスイッチが動作する以前の位置に保持する第２のストッパーとを設けた構成としたので、第１のストッパー及び第２のストッパーの位置を変えることによりすき間の広さを任意に決めることができ、商品の搬出が頻繁でない場所ですき間を広くしたい時は簡単に広くでき、より幅広いロケーションに対応した冷温蔵庫とすることができる。
【０１０２】
また、請求項５に記載の冷温蔵庫の発明は、第１のストッパーにより収納ゾーンに風が流れない構成としたので、収納ゾーンと温調ゾーンを完全に仕切ることができ、中間循環路より上には風が流れることはなく、より効率の高い冷温蔵庫とすることができる。
【０１０３】
また、請求項６に記載の冷温蔵庫の発明は、第１のストッパー及び第２のストッパーを常に引き込んだ状態とし、すき間を作らない状態にすることが可能な構成としたので、商品の搬出が頻繁な場所では庫内の全ての商品を冷却、加温することができ、より幅広いロケーションに対応した冷温蔵庫とすることができる。
【０１０４】
また、請求項７に記載の冷温蔵庫の発明は、庫内ファンの吸込空気温度を検出する庫内温度検出手段と、庫内温度検出手段の検出した温度により庫内ファンと冷却器と加温器を制御し、商品温度をある一定の温度差内に保つ温度制御手段とを備えた構成としたので、センサにより、商品を流れた後の風の温度を検出でき、商品の温度を直接検出することができ、正確な温度制御ができる冷温蔵庫とすることができる。
【０１０５】
また、請求項８に記載の冷温蔵庫の発明は、収納ゾーンのコラムと商品収納庫が密着する構成としたので、商品収納庫とコラムの間にはすき間がなく、風が流れることはないので、より効率の高い冷温蔵庫とすることができる。
【０１０６】
また、請求項９に記載の冷温蔵庫の発明は、収納する商品の長さに応じてコラムの幅を変更するコラム幅変更板と、前記コラム幅変更板を移動させるためのリンク部材とを備え、前記リンク部材は商品を収納する通路の他方の通路の風の流れを塞ぐ構成としたので、コラムの収納ゾーンのコラム幅変更板の商品がない方から上方向に風が流れることはなく、より効率の高い冷温蔵庫とすることができる。
【０１０７】
また、請求項１０に記載の冷温蔵庫の発明は、コラムの収納ゾーンと温調ゾーンをコラムの部材よりも熱伝導率の低い材料で連結する構成としたので、コラム部材の熱伝導により、収納ゾーンの商品が冷却、加温されることはなく、より効率の高い冷温蔵庫とすることができる。
【図面の簡単な説明】
【図１】本発明による冷温蔵庫の実施の形態１の縦断面図
【図２】同実施の形態のコラムの詳細を示す断面図
【図３】同実施の形態のコラムの詳細を示す断面図
【図４】本発明による冷温蔵庫の実施の形態２の縦断面図
【図５】同実施の形態の冷温蔵庫の縦断面図
【図６】本発明による冷温蔵庫の実施の形態３の縦断面図
【図７】本発明による冷温蔵庫の実施の形態４の縦断面図
【図８】同実施の形態のコラムの詳細を示す正面図
【図９】本発明による冷温蔵庫の実施の形態５の縦断面図
【図１０】従来の冷温蔵庫の縦断面図
【符号の説明】
１７  冷却器
１８  ヒーター
１９  庫内ファン
２１  コラム
２１ａ  収納ゾーン
２１ｂ  温調ゾーン
２２  商品収納庫
２５  ダクト
２６ａ，２６ｂ，２６ｃ，２６ｄ，２６ｅ  分離部材
２７ａ，２７ｂ，２７ｃ，２７ｄ，２７ｅ  商品検出手段
２８ａ，２８ｂ，２８ｃ，２８ｄ，２８ｅ  シャッター
２９  制御手段
３０  コラム
３０ａ  収納ゾーン
３０ｂ  温調ゾーン
３１ａ，３１ｂ，３１ｃ，３１ｄ，３１ｅ  スイッチ
３２ａ，３２ｂ，３２ｃ，３２ｄ，３２ｅ  第１のストッパー
３３ａ，３３ｂ，３３ｃ，３３ｄ，３３ｅ  第２のストッパー
３４  センサ
３５  シール部材
３６  コラム
３６ａ  収納ゾーン
３７  コラム幅調整板
３８  リンク
３９  コラム
３９ａ  収納ゾーン
３９ｂ  温調ゾーン
４０  連結部材
【図１】
2004251561.tif 000003
【図２】
2004251561.tif 000004
【図３】
2004251561.tif 000005
【図４】
2004251561.tif 000006
【図５】
2004251561.tif 000007
【図６】
2004251561.tif 000008
【図７】
2004251561.tif 000009
【図８】
2004251561.tif 000010
【図９】
2004251561.tif 000011
【図１０】
2004251561.tif 000012